(57)【要約】  【課題】  光ディスク装置において、光ピックアップの過熱を防止し信頼性向上を図る。  【解決手段】  光ピックアップの温度を温度センサで検知し、その出力を、光ピックアップの保障温度から設定された閾値と比較し、該出力が該閾値を超えるとき、レーザダイオードにおけるレーザ光の生成を停止させるとともに、光ディスクを逆方向回転させ、該逆方向回転の光ディスクによって発生する空気流により、光ピックアップを冷却する構成とする。【選択図】図６
2007102956.tif 000002
【特許請求の範囲】
【請求項１】
光ピックアップを用い光ディスクに対し情報の記録または再生を行う光ディスク装置であって、
上記光ディスクを回転駆動するスピンドルモータと、
上記スピンドルモータを駆動するモータ駆動回路と、
上記光ピックアップ内においてレーザ光を生成し出射するレーザダイオードと、
上記レーザダイオードを駆動するレーザ駆動回路と、
上記光ピックアップの温度を検知する温度センサと、
上記モータ駆動回路及び上記レーザ駆動回路を制御する制御手段と、
を備え、上記制御手段は、上記温度センサの出力を、上記光ピックアップの保障温度から設定された閾値と比較し、上記温度センサの出力が上記閾値を超えるとき、上記レーザ駆動回路及び上記モータ駆動回路を制御して上記レーザダイオードにおけるレーザ光の生成を停止させるとともに、上記スピンドルモータを逆方向回転させて上記光ディスクを逆方向回転させることを特徴とする光ディスク装置。
【請求項２】
上記温度センサは、上記光ピックアップ内に設けられた構成である請求項１に記載の光ディスク装置。
【請求項３】
上記制御手段は、上記光ピックアップが上記閾値以下の温度に冷却されたとき、上記レーザ駆動回路を制御して上記レーザダイオードにおけるレーザ光の生成を再開させるとともに、上記モータ駆動回路を制御して上記スピンドルモータを再び順方向回転させ上記光ディスクを順方向回転させる構成である請求項１に記載の光ディスク装置。
【請求項４】
上記制御手段は、上記光ピックアップの冷却の要否の判断を、上記光ディスクの種別の判別後記録または再生動作の前、記録または再生動作中、または記録または再生動作後に行う構成である請求項１に記載の光ディスク装置。
【請求項５】
光ディスク装置における光ピックアップの冷却方法であって、
光ピックアップの温度を検知し電気信号として出力するステップと、
上記検知出力を、上記光ピックアップの保障温度から設定された閾値と比較するステップと、
上記比較結果に基づき、光ピックアップ内におけるレーザ光の生成を停止させるとともに、上記光ディスクを逆方向に回転させるステップと、
を備えたことを特徴とする光ピックアップの冷却方法。
【発明の詳細な説明】
【技術分野】
【０００１】
本発明は、光ディスク装置において、光ピックアップを冷却する技術に関する。
【背景技術】
【０００２】
本発明に関連した従来技術としては、特開２００３−２５７０２２号公報（特許文献１）や特開２００２−４２３６１号公報（特許文献２）に記載されたものがある。特開２００３−２５７０２２号公報には、光ピックアップ近傍の温度が設定値を超えた場合には、半導体レーザの発光動作を中断させるとともに、光ディスクの回転速度を上昇させ、装置内外に生ずる空気流量を増加させて、光ディスクや光ピックアップなどの冷却を行うとした技術が記載され、特開２００２−４２３６１号公報には、ピックアップの過熱状態を検出する過熱検出器を備え、該過熱状態を検出した場合に回転制御器が記録媒体の回転数を増加させ、該回転によって生ずる風でピックアップを冷却するとした技術が記載されている。
【０００３】
【特許文献１】特開２００３−２５７０２２号公報
【特許文献２】特開２００２−４２３６１号公報
【発明の開示】
【発明が解決しようとする課題】
【０００４】
光ピックアップ内で熱源としての半導体レーザ（レーザダイオード）が、光ディスクの回転で発生する空気流が入り込みにくい位置に配置されている構成の光ディスク装置においては、上記従来技術では光ピックアップの冷却を十分行えないおそれがある。例えば、ＣＤ用レーザダイオード、ＤＶＤ用レーザダイオード及び青色レーザ用ダイオードの３波長対応の光学系を備えた光ディスク装置では、光ピックアップが大型化するとともに、該光学系が、光ディスクの正方向回転時すなわち記録または再生動作時の回転で発生する空気流の方向とは反対側に配される場合が多い。かかる場合には、該光ディスクの回転数を増大させたとしても該空気流により光ピックアップの十分な冷却は困難である。
本発明の課題点は、上記従来技術の状況に鑑み、光ディスク装置において、例えば３波長対応の光学系を備えた光ピックアップにおいても、光ピックアップの温度が閾値温度に達した場合には、効率的に該光ピックアップの冷却が行えるようにすることである。
本発明の目的は、かかる課題点を解決し、光ディスク装置において、光ピックアップの過熱を防止し信頼性向上が図れる技術を提供することにある。
【課題を解決するための手段】
【０００５】
上記課題点を解決するために、本発明では、光ディスク装置において、光ピックアップの温度を温度センサで検知し、その出力を、光ピックアップの保障温度から設定された閾値と比較し、該出力が該閾値を超えるとき、レーザダイオードにおけるレーザ光の生成を停止させるとともに、光ディスクを逆方向回転させ、該逆方向回転の光ディスクによって発生する空気流により光ピックアップを冷却する構成とする。
【発明の効果】
【０００６】
本発明によれば、光ディスク装置において、光ピックアップの過熱を防ぎ、信頼性の向上が可能となる。
【発明を実施するための最良の形態】
【０００７】
以下、本発明の実施形態につき、図面を用いて説明する。
図１〜図６は、本発明の実施形態の説明図である。図１は、本発明の実施形態としての光ディスク装置の構成のブロック図、図２は、図１の光ディスク装置の構成の斜視図であってトップカバーをはずした状態を示す図、図３は、図２の構成からさらに光ディスクを除いた状態を示す図、図４は、図１の光ディスク装置におけるユニットメカ部の構成を示す図、図５は、図４のユニットメカ部の裏面側構成を示す図、図６は、図１の光ディスク装置の光ピックアップを冷却する動作の説明図である。
【０００８】
図１において、１は光ディスク装置、２は光ディスク、３は、光ディスク２を回転駆動するスピンドルモータ、４は光ピックアップ、５は、光ピックアップ４に搭載された対物レンズ、６は、レーザ光を発生するレーザダイオード、７は、レーザダイオード６を駆動するレーザ駆動回路、８は、光ディスク２の記録面からの反射レーザ光を受光し電気信号に変換して出力する受光部、９は、対物レンズ５の位置や姿勢を変化させるアクチュエータ、１０は、光ピックアップ４の温度を検知する温度センサ、１１は、直線状のガイド部材（図示なし）やリードスクリュー部材（図示なし）などを備えて構成され、光ピックアップ４を光ディスク２の略半径方向に移動させる移動・案内機構部、１２は、移動・案内機構部１１内にあってリードスクリュー部材（図示なし）を回転駆動するスライドモータ、１３は、スピンドルモータ３やスライドモータ１２を駆動するモータ駆動回路、１４は、光ディスク２に記録される記録信号を生成する記録信号生成部、１５は、受光部８からの信号に基づき、トラッキング誤差信号やフォーカス誤差信号を生成したり、情報再生信号の生成・復調を行ったりする再生・誤差信号処理部、１６は、装置全体を制御する制御手段としてのマイコンである。
【０００９】
図１の実施形態において、上記レーザダイオード６は、ＣＤ用レーザダイオード、ＤＶＤ用レーザダイオード及び青色レーザ用ダイオードの３個のレーザダイオードから成り、それぞれから異なった波長のレーザ光を出射するようになっている。また、移動・案内機構部１１内で、リードスクリュー部材（図示なし）は表面にねじが形成され、該ねじに光ピックアップ４のラック部（図示なし）が係合され、該リードスクリュー部材がスライドモータ１２により回転駆動されることでラック部を直線方向に移動させ光ピックアップ４を光ディスク２の略半径方向に直線移動させる。移動・案内機構部１１内で、ガイド部材（図示なし）は、該リードスクリュー部材に平行に配され、光ピックアップ４の上記移動を案内する。該ガイド部材は、光ピックアップ４の対物レンズ５位置に対し、上記リードスクリュー部材側に設けられた主軸部材（図示なし）と、該リードスクリュー部材の反対側に設けられた副軸部材とから成る。上記３個のレーザダイオードはそれぞれ、光ピックアップ４の対物レンズ５位置に対し、上記副軸部材側に設けられる。該副軸部材側は、記録または再生動作時における光ディスク２の回転方向の逆方向側に当たる。また、温度センサ１０は、光ピックアップ４内に設けられる。さらに、モータ駆動回路１３は、マイコン１６からの制御信号により、回転方向を変えられるようになっている。
【００１０】
上記図１の構成において、記録または再生時には、光ディスク２が順方向に所定の速度で回転し、レーザダイオード６からは所定のレーザ光が出射され、光ディスク２の記録面に照射される。レーザダイオード６はレーザ光の発生により発熱し、該発熱により光ピックアップ４の温度を上昇させる。光ピックアップ４の温度は温度センサ１０で検知され、電気信号（以下、温度検知信号という）として出力される。温度検知信号はマイコン１６に入力される。マイコン１６内で、該温度検知信号は、そのレベルを、光ピックアップ４の性能が保障される温度（保障温度）から設定された閾値のレベルと比較され、該比較結果に基づき、マイコン１６は、光ピックアップ４の冷却の要否を判断する。すなわち、上記比較の結果、温度センサ１０からの温度検知信号のレベルが上記閾値のレベルを超えるとき、マイコン１６は、光ピックアップ４の冷却が必要であると判断して、これに対応した制御信号を生成し、該制御信号を上記レーザ駆動回路７と上記モータ駆動回路１３とに出力する。レーザ駆動回路７はマイコン１６からの制御信号に基づきレーザダイオード６におけるレーザ光の生成を停止させる。また、モータ駆動回路１３は、スピンドルモータ３の回転を逆方向に回転させて光ディスク２を逆方向回転させるとともに、スライドモータ１２の回転を停止させ、光ピックアップ４の移動動作を停止させる。光ディスクの該逆方向回転によって発生する空気流は、ガイド部材の副軸部材側に効率的に流入し、光ピックアップ４のレーザダイオード６の配された部分とその周囲を主体にして該光ピックアップ４を冷却する。該冷却中も、温度センサ１０は、光ピックアップ４の温度を検知し温度検知信号を出力し続ける。同様に、マイコン１６は、該温度検知信号のレベルと閾値のレベルの比較を続行する。該光ピックアップ４の冷却時、光ディスクの逆方向回転に先立ち、対物レンズ５は、マイコン１６による制御によりアクチュエータ９を介して退避移動され、光ディスク面に対し中立点位置よりも遠い安全な位置に移動される。
【００１１】
光ピックアップ４が冷却され、温度センサ１０からの温度検知信号のレベルが上記閾値のレベル以下に低下したとき、マイコン１６は、光ピックアップ４の冷却が不要になったと判断して、これに対応した制御信号を生成し、該制御信号を上記モータ駆動回路１３と上記レーザ駆動回路７とに出力する。モータ駆動回路１３は、スピンドルモータ３の回転を再び順方向に回転させ光ディスク２を順方向回転させる。レーザ駆動回路７は、マイコン１６からの制御信号に基づき、レーザダイオード６におけるレーザ光の生成を開始させる。レーザ光がレーザダイオード６から出射されることにより、対物レンズ５のフォーカス動作やトラッキング動作も開始され、スライドモータ１２も回転され光ピックアップ４の移動も再開される。これによって、光ディスク装置は再び、記録または再生動作を再開する。
以下の説明中で用いる図１の構成要素には、図１の場合と同じ符号を付して用いるとする。
【００１２】
図２は、図１の光ディスク装置１の構成の斜視図であって、トップカバー（装置上部を覆うカバー）（図示なし）をはずした状態を示す図である。
図２において、１７はケース、１８は、光ディスク２を装置本体に対し搬入または搬出するためのトレイ、１９は、移動・案内機構部１１を構成するガイド部材の主軸部材、２０は、同じく移動・案内機構部１１を構成するガイド部材の副軸部材、２６は、光ディスク２をクランプするクランパ、Ａは、光ディスク２の順方向の回転方向、Ｂは、光ディスク２の逆方向の回転方向、ａは、光ディスク２の順方向回転により発生する空気流、ｂは、光ディスク２の逆方向回転により発生する空気流である。光ピックアップ４の冷却は、空気流ｂによる空冷で行われる。
【００１３】
図３は、図２の構成から光ディスク２を除いた状態を示す図である。光ピックアップ４の冷却モード時、光ディスク２の逆方向回転で発生する空気流ｂは、副軸部材２０側のトレイ１８の下部に入り込み、該下部側に設けられた、光ピックアップ４のレーザダイオード６が配された部分及びその周囲部に接して流動し、これらの部分を主体に該光ピックアップ４を冷却する。
【００１４】
図４及び図５は、図１の光ディスク装置１におけるユニットメカ部の構成を示す図である。図４は、ユニットメカ部の表面側すなわち光ディスク２を装着する面側の構成を示す図、図５は、ユニットメカ部の裏面側すなわち光ディスク２を装着する面側とは反対側の面側の構成を示す図である。
図４及び図５において、２５はメカシャーシ、イ、ロは、光ピックアップ４内においてレーザダイオード６が配された領域であって、うち、イは、ＣＤ用レーザダイオードとＤＶＤ用レーザダイオードが配された領域、ロは青色レーザ用ダイオードが配された領域である。また、図５において、２１は、移動・案内機構部１１を構成しスライドモータ１２により回転駆動されるリードスクリュー部材、６ａはＣＤ用レーザダイオード、６ｂはＤＶＤ用レーザダイオード、６ｃは青色レーザ用ダイオードである。光ディスク２の逆方向回転で発生する空気流ｂは、ＣＤ用レーザダイオードとＤＶＤ用レーザダイオードが配された領域イ、及び、青色レーザ用ダイオードが配された領域ロの方向に流れ、それぞれの領域で光ピックアップ４に接して該光ピックアップ４から熱を吸収する。温度センサ１０は、光ピックアップ４内において、上記領域イ、ロの近傍に配されるものとする。
【００１５】
図６は、図１の光ディスク装置１の光ピックアップ４を冷却する動作例の説明図である。本動作例は、光ディスク装置１が記録または再生を行っている最中に、光ピックアップ４が温度上昇し、これを冷却する場合である。
図６において、
（１）スピンドルモータ３が所定速度で順方向に回転され、光ディスク２を所定速度で順方向に回転させて、記録または再生動作が行われる（ステップＳ６０１）。
（２）温度センサ１０が光ピックアップ４の温度Ｔｐを検知し温度検知信号をマイコン１６側に出力する（ステップＳ６０２）。
（３）マイコン１６内では、上記温度検知信号のレベル（便宜上、これをＴｐで示す）が、光ピックアップ４の保障温度から設定された閾値のレベルＴｔｈと比較され、該比較結果に基づき、マイコン１６は、光ピックアップ４の冷却の要否を判断する。すなわち、上記比較の結果、温度センサ１０からの温度検知信号のレベルＴｐが上記閾値のレベルＴｔｈを超えるとき、マイコン１６は、光ピックアップ４の冷却が必要であると判断して、これに対応した制御信号を生成し、該制御信号をレーザ駆動回路７とモータ駆動回路１３とに出力する（ステップＳ６０３）。温度検知信号のレベルＴｐが閾値のレベルＴｔｈを超えない場合には、マイコン１６は、上記制御信号を生成しない状態で温度センサ１０に光ピックアップ４の温度Ｔｐの検知を続けさせる。
（４）レーザ駆動回路７は、マイコン１６からの上記制御信号により制御され、レーザダイオード６におけるレーザ発光を停止させる（ステップＳ６０４）。
（５）モータ駆動回路１３は、マイコン１６からの上記制御信号により制御され、スピンドルモータ３の回転方向を反転させ、所定速度で逆方向に回転させて、光ディスク２を所定速度で逆方向回転させる（ステップＳ６０５）。スピンドルモータ３及び光ディスク２の逆方向回転速度は、上記ステップＳ６０１における記録または再生時の順方向回転速度と同じであってもよいし、該順方向回転速度よりも低速または高速であってもよい。高速の場合には、光ディスク２の回転で発生する空気流の流速が増大し光ピックアップ４に対する冷却効果が向上する。スピンドルモータ３は、順方向回転から逆方向回転に遷移するとき、モータ駆動回路１３により電気的ブレーキをかけられて順方向回転速度が短時間のうちに減少し、短期間で順方向回転から逆方向回転に遷移することができるようにする。マイコン１６は、モータ駆動回路１３に対し、スピンドルモータ３の逆方向回転を指示するとき、スライドモータ１２の回転停止も指示する。さらに、該マイコン１６は、アクチュエータ９を介して対物レンズ５を、光ディスク面から遠ざかる方向に退避移動させる。
【００１６】
（６）上記ステップＳ６０５における光ディスク２の逆方向回転により発生する空気流により、光ピックアップ４のレーザダイオード６が配された部分及びその周囲部を主体に光ピックアップ４を冷却する（ステップＳ６０６）。
（７）上記冷却中も、温度センサ１０は、光ピックアップ４の温度を検知し温度検知信号を出力し、マイコン１６は、上記温度検知信号のレベルＴｐと上記閾値のレベルＴｔｈとの比較を行う。比較の結果、温度センサ１０からの温度検知信号のレベルＴｐが閾値のレベルＴｔｈ以下に低下しているとされるとき、マイコン１６は、光ピックアップ４の冷却が不要になったと判断して、これに対応した制御信号を生成し、該制御信号を上記モータ駆動回路１３と上記レーザ駆動回路７とに出力する（ステップＳ６０７）。温度検知信号のレベルＴｐが閾値のレベルＴｔｈ以下に低下していないときは、マイコン１６は、光ディスク２の逆方向回転による光ピックアップ４の冷却を続行させる。
（８）マイコン１６からの制御信号により、モータ駆動回路１３は、スピンドルモータ３を再び順方向に回転させて光ディスク２を順方向回転させる（ステップＳ６０８）。
（９）レーザ駆動回路７は、マイコン１６からの制御信号に基づき、レーザダイオード６におけるレーザ光の生成を開始させる。レーザ光がレーザダイオード６から出射されることにより、対物レンズ５のフォーカス動作やトラッキング動作も開始され、スライドモータ１２もモータ駆動回路１３により回転されて光ピックアップ４の移動も再開される。これによって、光ディスク装置は再び、記録または再生動作を再開する（ステップＳ６０９）。
【００１７】
上記本発明の実施形態によれば、光ディスク装置１において、光ピックアップ４を保障温度を超えない温度範囲で使用することができ、光ピックアップ４及び光ディスク装置１の信頼性向上を図ることができる。
【００１８】
なお、上記実施形態では、光ディスク装置１が記録または再生動作中にマイコン１６が、温度センサ１０の出力に基づき光ピックアップ４の冷却の要否の判断を行い、要と判断した場合に、記録または再生動作を中断して光ディスク２の回転を逆方向回転に切替え、該逆方向回転による空気流で光ピックアップ４の冷却を行うとしたが、この他、上記光ピックアップ４の冷却の要否の判断を、光ディスク２の種別の判別後記録または再生動作の前に行うようにしてもよいし、または、記録または再生動作後に行うようにしてもよい。光ディスク２の種別の判別後記録または再生動作の前に行う場合とは、例えば、光ディスク２とは別の光ディスクで記録または再生動作を行った後、該別の光ディスクを光ディスク２に交換し、該交換後該光ディスク２の種別を判別した後該光ディスク２に対し記録または再生動作を開始する前に、光ピックアップ４の冷却の要否の判断を行い、要と判断されたときは、該時点で光ディスク２を逆方向回転させ、光ピックアップ４の冷却を行う場合である。また、記録または再生動作後に行う場合とは、例えば、光ディスク２で記録または再生動作を行った後、該光ディスク２を別の光ディスクに交換する前に、光ピックアップ４の冷却の要否の判断を行い、要と判断されたときは、該時点で光ディスク２を逆方向回転させ、光ピックアップ４の冷却を行う場合である。
【図面の簡単な説明】
【００１９】
【図１】本発明の実施形態としての光ディスク装置の構成のブロック図である。
【図２】図１の光ディスク装置の構成の斜視図であってトップカバーをはずした状態を示す図である。
【図３】図２の構成から光ディスクを除いた状態を示す図である。
【図４】図１の光ディスク装置におけるユニットメカ部の構成を示す図である。
【図５】図４のユニットメカ部の裏面側構成を示す図である。
【図６】図１の光ディスク装置の光ピックアップを冷却する動作の説明図である。
【符号の説明】
【００２０】
１…光ディスク装置、
２…光ディスク、
３…スピンドルモータ、
４…光ピックアップ、
５…対物レンズ、
６…レーザダイオード、
６ａ…ＣＤ用レーザダイオード、
６ｂ…ＤＶＤ用レーザダイオード、
６ｃ…青色レーザ用ダイオード、
７…レーザ駆動回路、
８…受光部、
９…アクチュエータ、
１０…温度センサ、
１１…移動・案内機構部、
１２…スライドモータ、
１３…モータ駆動回路、
１４…記録信号生成部、
１５…再生・誤差信号処理部、
１６…マイコン、
１７…ケース、
１８…トレイ、
１９…主軸部材、
２０…副軸部材、
２１…リードスクリュー部材、
２５…メカシャーシ、
２６…クランパ。
【図１】
2007102956.tif 000003
【図２】
2007102956.tif 000004
【図３】
2007102956.tif 000005
【図４】
2007102956.tif 000006
【図５】
2007102956.tif 000007
【図６】
2007102956.tif 000008